【手続補正書】
【提出日】平成26年7月31日(2014.7.31)
【手続補正１】
【補正対象書類名】明細書
【補正対象項目名】００６７
【補正方法】変更
【補正の内容】
【００６７】
本開示に従ったリザーバ特定システム内に含まれてよいセンサの種類の、別の例として、センサ２０４は容量センサであってよい。容量センサは、突出部、及び／又は、窪み（例えば、指紋認証技術におけるように）によって、静電容量を検知してよい。本開示に従った容量センサは、技術的に既知の、又は、後にもたらされた、いかなる容量センサであってよい。コーディング機能が、センサと接する（又は、近づく）とき、センサの各電極と、対応するコーディング機能の表面との間にキャパシタを形成することができる。コーディング機能上の突出部、及び、窪みは、静電容量の変化を引き起こし、各キャパシタの放電電圧を測定することにより、コーディング機能の像が、２Ｄ、又は、３Ｄで、決定することができる。デコーディング・モジュール３００は、薬物リザーバに関わる情報を決定するため、その像を、次に、解析してよい。
【手続補正２】
【補正対象書類名】特許請求の範囲
【補正対象項目名】全文
【補正方法】変更
【補正の内容】
【特許請求の範囲】
【請求項１】
医療送達デバイス（１００、２００、４００、５００、７００、１０００、１１００、１３００）であって、
少なくとも１つの電子センサ（２０４、２０４ａ〜ｃ、５０２、１００２、１１０６ａ〜ｃ）及びデコーディング・モジュール（３００）を含んでなり、
ここで、少なくとも１つの電子センサ（２０４、２０４ａ〜ｃ、５０２、１００２、１１０６ａ〜ｃ）及びデコーディング・モジュール（３００）が、
（ｉ）医療送達デバイス（１００、２００、４００、５００、７００、１０００、１１００、１３００）内に挿入された、薬物リザーバ（１２０、２０２、４０６、５０６、９００、１００４、１１０４、１３０６）のコーディング機能（２０６、４０８、５０８、８００、１００６、１０１０、１０１４、１１０２）を識別し、
（ii）識別されたコーディング機能（２０６、４０８、５０８、８００、１００６、１０１０、１０１４、１１０２）に基づいて、薬物リザーバ（１２０、２０２、４０６、５０６、９００、１００４、１１０４、１３０６）に関わる情報を決定するように構成される、上記医療送達デバイス。
【請求項２】
薬物リザーバ（１２０、２０２、４０６、５０６、９００、１００４、１１０４、１３０６）を含んでなる、請求項１に記載の医療送達デバイス（１００、２００、４００、５００、７００、１０００、１１００、１３００）であって、
ここで、少なくとも１つのコーディング機能（２０６、４０８、５０８、８００、１００６、１０１０、１０１４、１１０２）が、薬物リザーバ（１２０、２０２、４０６、５０６、９００、１００４、１１０４、１３０６）上に備えられる、上記医療送達デバイス。
【請求項３】
請求項１又は２に記載の医療送達デバイス（１００、２００、４００、５００、７００、１０００、１１００、１３００）であって、
ここで、電子センサ（２０４、２０４ａ〜ｃ、５０２、１００２、１１０６ａ〜ｃ）が、デコーディング・モジュール（３００）を含む、上記医療送達デバイス。
【請求項４】
請求項１〜３のいずれか１項に記載の医療送達デバイス（１００、２００、４００、５００、７００、１０００、１１００、１３００）であって、
ここで、デコーディング・モジュール（３００）が、
プロセッサ（３０２）、及び
識別されたコーディング機能（２０６、４０８、５０８、８００、１００６、１０１０、１０１４、１１０２）に基づいて、薬物リザーバ（１２０、２０２、４０６、５０６、９００、１００４、１１０４、１３０６）に関わる情報を決定するステップを行なうための、プロセッサ（３０２）によって実行可能な命令（３０６）を含んでなる、データ記憶装置（３０４）を含む、上記医療送達デバイス。
【請求項５】
さらに、薬物リザーバ・ホルダ（１０４、１３０４）及び用量設定メカニズム（１０５）を含んでなる、請求項１〜４のいずれかに記載の医療送達デバイス（１００、２００、４００、５００、７００、１０００、１１００、１３００）であって、
ここで、薬物リザーバ・ホルダ（１０４、１３０４）は、薬物リザーバ（１２０、２０２、４０６、５０６、９００、１００４、１１０４、１３０６）を受けることができ、そして薬物リザーバ・ホルダ（１０４、１３０４）は、用量設定メカニズム（１０５）に取り付け可能であり、
ここで、少なくとも１つの電子センサ（２０４、２０４ａ〜ｃ、５０２、１００２、１１０６ａ〜ｃ）は、薬物リザーバ・ホルダ（１０４、１３０４）の内壁上、又は、用量設定メカニズム（１０５）の内壁上に位置する、上記医療送達デバイス。
【請求項６】
請求項１〜５のいずれか１項に記載の医療送達デバイス（１００、２００、４００、５００、７００、１０００、１１００、１３００）であって、
ここで、少なくとも１つの電子センサ（２０４、２０４ａ〜ｃ、５０２、１００２、１１０６ａ〜ｃ）が、光学センサ、光ダイオード、スキャナ、容量センサ、ホール・センサ、ゼブラ・ストリップ・センサ（７０２）及び／又は電気接点からなるグループから選択されたセンサを含む、上記医療送達デバイス。
【請求項７】
請求項１〜６のいずれか１項に記載の医療送達デバイス（１００、２００、４００、５００、７００、１０００、１１００、１３００）であって、
ここで、コーディング機能（２０６、４０８、５０８、８００、１００６、１０１０、１０１４、１１０２）は、複数のコーディングエレメント（２０８、２１０、９０６ａ〜ｄ）を含み、そしてここで、少なくとも１つの電子センサ（２０４、２０４ａ〜ｃ、５０２、１００２、１１０６ａ〜ｃ）は、複数の電子センサ（２０４、２０４ａ〜ｃ、５０２
、１００２、１１０６ａ〜ｃ）を含み、ここで、複数の中の各電子センサ（２０４、２０４ａ〜ｃ、５０２、１００２、１１０６ａ〜ｃ）は、コーディング機能（２０６、４０８、５０８、８００、１００６、１０１０、１０１４、１１０２）のそれぞれのエレメント（２０８、２１０、９０６ａ〜ｄ）を識別する、上記医療送達デバイス。
【請求項８】
請求項１〜７のいずれかに記載の医療送達デバイス（１００、２００、４００、５００、７００、１０００、１１００、１３００）であって、
ここで、コーディング機能（２０６、４０８、５０８、８００、１００６、１０１０、１０１４、１１０２）が、バーコード、突出部、窪み、色、発光コーディング機能、磁石、及び電気接点からなるグループから選択された、コーディング機能（２０６、４０８、５０８、８００、１００６、１０１０、１０１４、１１０２）である、上記医療送達デバイス。
【請求項９】
請求項１〜８のいずれか１項に記載の医療送達デバイス（１００、２００、４００、５００、７００、１０００、１１００、１３００）であって、
ここで、医療送達デバイス（１００、２００、４００、５００、７００、１０００、１１００、１３００）が、さらに、光源（４０４、５０４）を含み、ここで、光源（４０４、５０４）からの光が、センサ（２０４、２０４ａ〜ｃ、５０２、１００２、１１０６ａ〜ｃ）と相互作用する、医療送達デバイス。
【請求項１０】
請求項９に記載の医療送達デバイス（１００、２００、４００、５００、７００、１０００、１１００、１３００）であって、
ここで、コーディング機能（２０６、４０８、５０８、８００、１００６、１０１０、１０１４、１１０２）が、光源（４０４、５０４）からの光をセンサ（２０４、２０４ａ〜ｃ、５０２、１００２、１１０６ａ〜ｃ）に案内する、医療送達デバイス。
【請求項１１】
請求項１〜１０のいずれか１項に記載の医療送達デバイス（１００、２００、４００、５００、７００、１０００、１１００、１３００）であって、
ここで、コーディング機能（２０６、４０８、５０８、８００、１００６、１０１０、１０１４、１１０２）が、機械的コーディング機能（１００６、１０１０、１０１４）であり、機械的コーディング機能（１００６、１０１０、１０１４）は、複数の形状機能を含んでなる機械的コーディング機能（１００６、１０１０、１０１４）であり、ここで、機械的コーディング機能（１００６、１０１０、１０１４）は、医療送達デバイス（１００、２００、４００、５００、７００、１０００、１１００、１３００）の使用者によって、そして少なくとも１つの電子センサ（２０４、２０４ａ〜ｃ、５０２、１００２、１１０６ａ〜ｃ）によって、区別され得る、上記医療送達デバイス。
【請求項１２】
請求項１〜１１のいずれかに記載の医療送達デバイス（１００、２００、４００、５００、７００、１０００、１１００、１３００）であって、
ここで、コーディング機能（２０６、４０８、５０８、８００、１００６、１０１０、１０１４、１１０２）が、リングの周りの、少なくとも１つの突出部及び／又は窪み（８０２ａ〜ｅ、１００７、１０１２ａ〜ｆ）を含み、ここで、リングが、薬物リザーバ（１２０、２０２、４０６、５０６、９００、１００４、１１０４、１３０６）の周りを包む、上記医療送達デバイス。
【請求項１３】
請求項１〜１２のいずれかに記載の医療送達デバイス（１００、２００、４００、５００、７００、１０００、１１００、１３００）であって、
ここで、少なくとも１つのコーディング機能（２０６、４０８、５０８、８００、１００６、１０１０、１０１４、１１０２）の位置、及び／又は少なくとも１つのセンサ（２０４、２０４ａ〜ｃ、５０２、１００２、１１０６ａ〜ｃ）の位置が、医療送達デバイス
（１００、２００、４００、５００、７００、１０００、１１００、１３００）内に含有される薬物（１２２）の薬物タイプを表わす、医療送達デバイス。
【請求項１４】
請求項１〜１３のいずれかに記載の医療送達デバイス（１００、２００、４００、５００、７００、１０００、１１００、１３００）であって、
ここで、薬物リザーバ（１２０、２０２、４０６、５０６、９００、１００４、１１０４、１３０６）が、医療送達デバイス（１００、２００、４００、５００、７００、１０００、１１００、１３００）との使用を対象としている、その医療送達デバイス（１００、２００、４００、５００、７００、１０００、１１００、１３００）内に挿入されたとき、少なくとも１つのセンサ（２０４、２０４ａ〜ｃ、５０２、１００２、１１０６ａ〜ｃ）が、少なくとも１つのコーディング機能（２０６、４０８、５０８、８００、１００６、１０１０、１０１４、１１０２）と整列するように構成されている、上記医療送達デバイス。
【請求項１５】
請求項１〜１４のいずれかに記載の医療送達デバイス（１００、２００、４００、５００、７００、１０００、１１００、１３００）であって、
ここで、少なくとも１つのコーディング機能（２０６、４０８、５０８、８００、１００６、１０１０、１０１４、１１０２）の表面と、少なくとも１つのセンサ（２０４、２０４ａ〜ｃ、５０２、１００２、１１０６ａ〜ｃ）の表面が、複合化してキャパシタを形成する、上記医療送達デバイス。
【請求項１６】
医療送達デバイス（１００、２００、４００、５００、７００、１０００、１１００、１３００）のための薬物リザーバ（１２０、２０２、４０６、５０６、９００、１００４、１１０４、１３０６）に関わる情報を決定する方法であって：
−少なくとも１つの電子センサ（２０４、２０４ａ〜ｃ、５０２、１００２、１１０６ａ〜ｃ）が、医療送達デバイス（１００、２００、４００、５００、７００、１０００、１１００、１３００）内に挿入された薬物リザーバ（１２０、２０２、４０６、５０６、９００、１００４、１１０４、１３０６）のコーディング機能（２０６、４０８、５０８、８００、１００６、１０１０、１０１４、１１０２）を識別するステップ；及び
−デコーディング・モジュール（３００）が、識別されたコーディング機能（２０６、４０８、５０８、８００、１００６、１０１０、１０１４、１１０２）に基づいて、薬物リザーバ（１２０、２０２、４０６、５０６、９００、１００４、１１０４、１３０６）に関わる情報を決定するステップ；
を含んでなる、上記方法。
【請求項１７】
請求項１６に記載の方法であって、
ここで、薬物リザーバ（１２０、２０２、４０６、５０６、９００、１００４、１１０４、１３０６）が、医療送達デバイス（１００、２００、４００、５００、７００、１０００、１１００、１３００）内に挿入されているとき、少なくとも１つの電子センサ（２０４、２０４ａ〜ｃ、５０２、１００２、１１０６ａ〜ｃ）が、コーディング機能（２０６、４０８、５０８、８００、１００６、１０１０、１０１４、１１０２）を識別する、上記方法。
【請求項１８】
さらに、
−読み取りエラーを検出するステップ、
−読み取りエラーを使用者に警告するステップ、
を含んでなる、請求項１６又は１７に記載の方法。
【請求項１９】
請求項１７又は１８に記載の方法であって、
さらに、医療送達デバイス（１００、２００、４００、５００、７００、１０００、１
１００、１３００）内への、薬物リザーバ（１２０、２０２、４０６、５０６、９００、１００４、１１０４、１３０６）の挿入速度を制御するステップ、を含んでなり、
ここで、挿入速度を制御するステップは、強制して薬物リザーバ（１２０、２０２、４０６、５０６、９００、１００４、１１０４、１３０６）を軸方向ではない経路に沿って押し進めるステップ、ばね力が挿入速度を制御するステップ、摩擦力が挿入速度を制御するステップ、及びモータが挿入を制御するステップの、少なくとも１つを含む、上記方法。